(57)【要約】この発明は複数のファスナー（１２）を備えているファスナーシステムを提供する。各ファスナー（１２）は、電子信号、磁気信号あるいは赤外線信号などの適切な信号の受信時にロックされあるいはロック解除されるようになっている。このファスナー（１２）は１つの保持器（３８）に備えられている。【選択図】図１
2007529690.tif 000002
【特許請求の範囲】
【請求項１】
各々のファスナーが適切な信号の受信時にロックされあるいはロック解除されるようにする２つあるいはそれ以上のファスナーを備え、前記２つあるいはそれ以上のファスナーが１つの保持器に備えられている、ファスナーシステム。
【請求項２】
全てのファスナーが同じである、請求項１に記載のファスナーシステム。
【請求項３】
少なくとも２つの異なったタイプのファスナーを有する、請求項１に記載のファスナーシステム。
【請求項４】
前記ファスナーが１つの面内に配置されている、請求項１ないし請求項３のいずれか１項に記載のファスナーシステム。
【請求項５】
前記ファスナーが２つ又は３つの面内に配置されている、請求項１ないし請求項３のいずれか１項に記載のファスナーシステム。
【請求項６】
各面内に１つのファスナーがある、請求項５に記載のファスナーシステム。
【請求項７】
各面内に２つ以上のファスナーがある、請求項５に記載のファスナーシステム。
【請求項８】
１つのファスナーと１つのファスナー以上のファスナーを有する面の混合である、請求項５に記載のファスナーシステム。
【請求項９】
各ファスナーが第１タイプの信号の受信時にロックされあるいはロック解除されるようにする、請求項１ないし請求項８のいずれか１項に記載のファスナーシステム。
【請求項１０】
少なくとも１つのファスナーが第１タイプの信号の受信時にロックされあるいはロック解除されるようにし、そして少なくとも他のファスナーが第２タイプの信号の受信時にロックされあるいはロック解除されるようにする、請求項１ないし請求項８のいずれか１項に記載のファスナーシステム。
【請求項１１】
前記第１タイプの信号と前記第２タイプの信号が磁気信号、赤外線信号及び電気信号からなる群から選択される、請求項９又は請求項１０に記載のファスナーシステム。
【請求項１２】
各ファスナーが個々のアドレスを有する、請求項１ないし請求項１１のいずれか１項に記載のファスナーシステム。
【請求項１３】
全てのファスナーが適切な信号用の１つの指令源に接続されている、請求項１ないし請求項１２のいずれか１項に記載のファスナーシステム。
【請求項１４】
添付図面のいずれか１つを参照して実質的にこの中に説明されたファスナーシステム。
【発明の詳細な説明】
【技術分野】
【０００１】
この発明は、ファスナー、特に（マルチポイント）ファスナーに関する。
【背景技術】
【０００２】
遠隔で（高周波、赤外線などで）あるいは配線で作動できる種々のタイプのファスナーが先行特許明細書に開示されている。この発明は全ての適切な先行技術ファスナーを参考にする。幾つかの非限定実施例が以下の特許明細書、すなわち、固定及び解除装置：国際特許出願Ｎｏ．ＰＣＴ／ＡＵ／９９／００１８５、固定及び解除装置の改良：国際特許出願Ｎｏ．ＰＣＴ／Ｕ／０３／００７５９、組立品の改良：国際特許出願Ｎｏ．ＰＣＴ／ＡＵ／０３／００９３３、ボルト組立品：国際特許出願Ｎｏ．ＰＣＴ／ＡＵ／０３／０１５３９、エアバッグ及び他の用途用ファスナー：ＰＣＴ／ＡＵ２００４／０００３７１、ファスナー：国際特許出願Ｎｏ．ＰＣＴ／ＡＵ２００４／００１５８０に、開示されたファスナーであり、ここではその内容をこの明細書に参考として取り入れる。
【発明の開示】
【課題を解決するための手段】
【０００３】
この発明は、各ファスナーが適切な信号の受信時に、ロックされあるいはロック解除されるようにした２つ又はそれ以上のファスナーを備え、該２つ又はそれ以上のファスナーが１つの保持器に備えられている、ファスナーシステムを提供する。
この発明は上記言及した及びこの中に参考として取り入れられた明細書の多くのファスナーがグループファスナーに用意されることができるという考え方に基づいている。これらのファスナーを１つの面内、２つの面内あるいは３つの面内に配置することができる。
【０００４】
各保持器内の複数のファスナーは同じでもよく、あるいはそれらファスナーが互いに異なっていてもよい。該複数ファスナーが１つの面内に配置されている場合、そのファスナーはいずれの好みのパターンも採用することができる。該複数ファスナーが２つ又はそれ以上の面内に配置されている場合、各面内に１つ又はそれ以上のファスナーがあってもよい。各面内に２つ以上のファスナーがある場合、再度それらファスナーを全ての適切なパターンで配置することができる。
複数のファスナーを、同じ信号あるいは異なった信号の受信時にロックされあるいはロック解除されるようにすることができる。例えば、１つのファスナーを、磁気信号の受信時にロック解除するようにしてもよいが、保持器内の隣接ファスナーを赤外線信号の受信時にロック解除されるようにすることができる。
【０００５】
電気信号のような同じタイプの信号の受信時にファスナーをロックあるいはロック解除することができるが、該ファスナーは、上記言及した１つ以上の明細書に既に開示されたように、個々にアドレス可能である。
単一保持器内の全てのファスナーを単一の指令源に接続するか、全てのファスナーを取り扱う共通の電子装置があることが好ましい。これによりファスナーのグループに対して最適効率と最小コストを提供することができる。
【０００６】
望ましければ、当該ファスナーを、ファスナー、例えば国際特許出願Ｎｏ．ＰＣＴ／ＡＵ２００４／００１５８０の図５〜図７に例示されたタイプのファスナーの作動の必要性無しに、ロックが行われるタイプとしてもよい。このタイプのファスナーは、固定される物体あるいは部品の取り付けを非常に容易にすることができ、更に、解放又はロック解除が適切な信号の受信に依存しているために必要なセキュリティも備えている。
この発明の用途の一つの例として、このファスナーシステムは、シート、シュラウド、内部ライニングなどが多数のファスナーを必要とする航空機内部で非常に効果的に使用することができる。この発明のファスナーシステムを使用するとこれらの部品の迅速な交換あるいは取替えが可能となる。
ここでこの発明を、添付図面に関連して説明された該発明のある非限定実施例に関して説明する。
【発明を実施するための最良の形態】
【０００７】
先ず図１を見ると、ファスナーシステム１０は、直線状に配置された３つのファスナーを有している。外側の２つのファスナー１２は同じタイプのファスナーである。中央のファスナー１４は外側の２つのファスナー１２と異なったタイプである。これら３つのファスナーが１つの保持器１６に備えられ、１つの面１８上にある。これらファスナーは前に議論されたファスナーを含む全ての適切なタイプのファスナーから選択することができる。
【０００８】
図２に関して、ファスナーシステム２０が２つの面２４，２６上にファスナーを有している。面２４は３つのファスナー、すなわち、２つのタイプ１２のファスナーと１つのタイプ１４のファスナーを１列に有している。保持器２２の反対側の面２６は同じ３つのファスナーを有している。
【０００９】
図３では、ファスナーシステム３０は正方形の面３２のコーナー部に配置された４つのタイプ１２のファスナーを有している。この実施形態の保持器２８は面３２のみファスナーを有している。改良された実施形態では、保持器２８が面３２に対峙する面にファスナーを有することができ、あるいは例えば面３４又は３６に１つ以上のファスナーを保持できよう。面３２上のファスナーは一面にあるが、例えば面３４上の１つ以上のファスナーは面３２の面に垂直な面にある。
【００１０】
図４に関し、ファスナーシステム４０は保持器３８上に３つのタイプのファスナー１２を有している。１つのファスナー１２が面４２上にあり、他のファスナー１２が面４４上にあり、第３のファスナー１２が面４６上にある。これは、ファスナーが３つの面にあるこの発明の１つの実施形態を示している。
容易に分かるように、図１〜図４の実施形態のファスナーのタイプは容易に組み合わせることができる。
【００１１】
この発明は多数のファスナーの保持器を提供する場合に有効である。この発明は多数のファスナーを必要とする組立品において迅速な固定又は固定解除に役立つ。
【図面の簡単な説明】
【００１２】
【図１】この発明の第１実施形態の斜視図である。
【図２】この発明の第２実施形態の斜視図である。
【図３】この発明の第３実施形態の斜視図である。
【図４】この発明の第４実施形態の斜視図である。
【符号の説明】
【００１３】
１０，２０，３０  ファスナーシステム
１２  ファスナー
１４  ファスナー
１６，２２，２８，３８  保持器
１８，２４，２６，３２，３４，３６，４４，４６  面
【図１】
2007529690.tif 000003
【図２】
2007529690.tif 000004
【図３】
2007529690.tif 000005
【図４】
2007529690.tif 000006
【手続補正書】
【提出日】平成18年4月24日(2006.4.24)
【手続補正１】
【補正対象書類名】特許請求の範囲
【補正対象項目名】全文
【補正方法】変更
【補正の内容】
【特許請求の範囲】
【請求項１】
各々のファスナーが適切な信号の受信時にロックされあるいはロック解除されるようにする２つあるいはそれ以上のファスナーを備え、前記２つあるいはそれ以上のファスナーが１つの保持器に備えられ、該保持器は多数の面を有し、一つのファスナーは一つの面に位置し、他のファスナーは他の面に位置している、ファスナーシステム。
【請求項２】
全てのファスナーが同じである、請求項１に記載のファスナーシステム。
【請求項３】
少なくとも２つの異なったタイプのファスナーを有する、請求項１に記載のファスナーシステム。
【請求項４】
二つ以上のファスナーがある、請求項１ないし請求項３のいずれか１項に記載のファスナーシステム。
【請求項５】
前記ファスナーが３つの面に配置されている、請求項１ないし請求項３のいずれか１項に記載のファスナーシステム。
【請求項６】
各面に１つのファスナーが位置している、請求項５に記載のファスナーシステム。
【請求項７】
各面に２つ以上のファスナーが位置している、請求項５に記載のファスナーシステム。
【請求項８】
１つのファスナーと１つのファスナー以上のファスナーを有する面の混合である、請求項５に記載のファスナーシステム。
【請求項９】
各ファスナーが第１タイプの信号の受信時にロックされあるいはロック解除されるようにする、請求項１ないし請求項８のいずれか１項に記載のファスナーシステム。
【請求項１０】
少なくとも１つのファスナーが第１タイプの信号の受信時にロックされあるいはロック解除されるようにし、そして少なくとも他のファスナーが第２タイプの信号の受信時にロックされあるいはロック解除されるようにする、請求項１ないし請求項８のいずれか１項に記載のファスナーシステム。
【請求項１１】
前記第１タイプの信号と前記第２タイプの信号が磁気信号、赤外線信号及び電気信号からなる群から選択される、請求項９又は請求項１０に記載のファスナーシステム。
【請求項１２】
各ファスナーが個々のアドレスを有する、請求項１ないし請求項１１のいずれか１項に記載のファスナーシステム。
【請求項１３】
全てのファスナーが適切な信号用の１つの指令源に接続されている、請求項１ないし請求項１２のいずれか１項に記載のファスナーシステム。
【請求項１４】
添付図面のいずれか１つを参照して実質的にこの中に説明されたファスナーシステム。
【手続補正２】
【補正対象書類名】明細書
【補正対象項目名】全文
【補正方法】変更
【補正の内容】
【書類名】明細書
【発明の名称】信号作動ファスナーアレイ
【技術分野】
【０００１】
この発明は、ファスナー、特に信号作動ファスナーアレイに関する。
【背景技術】
【０００２】
遠隔で（高周波、赤外線などで）あるいは配線で作動できる種々のタイプのファスナーが先行特許明細書に開示されている。この発明は全ての適切な先行技術ファスナーを参考にする。幾つかの非限定実施例が以下の特許明細書、すなわち、固定及び解除装置：国際特許出願Ｎｏ．ＰＣＴ／ＡＵ／９９／００１８５、固定及び解除装置の改良：国際特許出願Ｎｏ．ＰＣＴ／Ｕ／０３／００７５９、組立品の改良：国際特許出願Ｎｏ．ＰＣＴ／ＡＵ／０３／００９３３、ボルト組立品：国際特許出願Ｎｏ．ＰＣＴ／ＡＵ／０３／０１５３９、エアバッグ及び他の用途用ファスナー：ＰＣＴ／ＡＵ２００４／０００３７１、ファスナー：国際特許出願Ｎｏ．ＰＣＴ／ＡＵ２００４／００１５８０に、開示されたファスナーであり、ここではその内容をこの明細書に参考として取り入れる。
【発明の開示】
【課題を解決するための手段】
【０００３】
この発明は、各ファスナーが適切な信号の受信時に、ロックされあるいはロック解除されるようにした２つ又はそれ以上のファスナーを備え、該２つ又はそれ以上のファスナーが１つの保持器に備えられており、該保持器は多数の面を有し、ファスナーの一方は一つの面に位置し、他のファスナーは他の面に位置している、ファスナーシステムを提供する。
この発明は上記言及した及びこの中に参考として取り入れられた明細書の多くのファスナーがグループファスナーに用意されることができるという考え方に基づいている。これらのファスナーを、２つの面内あるいは３つの面内に配置することができる。
【０００４】
各保持器内の複数のファスナーは同じでもよく、あるいはそれらファスナーが互いに異なっていてもよい。一つ以上のファスナーが１つの面内に配置されている場合、そのファスナーはいずれの好みのパターンも採用することができる。各面に一つ以上のファスナーがあっても良い。
複数のファスナーを、同じ信号あるいは異なった信号の受信時にロックされあるいはロック解除されるようにすることができる。例えば、１つのファスナーを、磁気信号の受信時にロック解除するようにしてもよいが、保持器内の隣接ファスナーを赤外線信号の受信時にロック解除されるようにすることができる。
【０００５】
電気信号のような同じタイプの信号の受信時にファスナーをロックあるいはロック解除することができるが、該ファスナーは、上記言及した１つ以上の明細書に既に開示されたように、個々にアドレス可能である。
単一保持器内の全てのファスナーを単一の指令源に接続するか、全てのファスナーを取り扱う共通の電子装置があることが好ましい。これによりファスナーのグループに対して最適効率と最小コストを提供することができる。
【０００６】
望ましければ、当該ファスナーを、ファスナー、例えば国際特許出願Ｎｏ．ＰＣＴ／ＡＵ２００４／００１５８０の図５〜図７に例示されたタイプのファスナーの作動の必要性無しに、ロックが行われるタイプとしてもよい。このタイプのファスナーは、固定される物体あるいは部品の取り付けを非常に容易にすることができ、更に、解放又はロック解除が適切な信号の受信に依存しているために必要なセキュリティも備えている。
この発明の用途の一つの例として、このファスナーシステムは、シート、シュラウド、内部ライニングなどが多数のファスナーを必要とする航空機内部で非常に効果的に使用することができる。この発明のファスナーシステムを使用するとこれらの部品の迅速な交換あるいは取替えが可能となる。
ここでこの発明を、添付図面に関連して説明された該発明のある非限定実施例に関して説明する。
【発明を実施するための最良の形態】
【０００７】
先ず図１を見ると、ファスナーシステム２０は、二つの面２４及び２６にファスナーを有している。面２４は、二つの１２形式のファスナーと、一つの１４形式のファスナーとの三つのファスナーを１列に有している。保持器２０の反対面２６は同様に三つのファスナーを有している。
【０００８】
図２に関して、ファスナーシステム３０は、正方形の面３２のコーナー部に位置した４つのファスナー１２を有している。反対側の面３２のファスナーは図示していない。変形例では、保持器２８は例えば面３４及び３６上に一つ以上のファスナーを保持することができる。面３２上のファスナーは一平面内にあり、面３４上のファスナーは面３２に直角な平面内に位置する。
【０００９】
図３に関し、ファスナーシステム４０は保持器３８上に３つのタイプのファスナー１２を有している。１つのファスナー１２が面４２上にあり、他のファスナー１２が面４４上にあり、第３のファスナー１２が面４６上にある。これは、ファスナーが３つの面上の３つの平面にあるこの発明の１つの実施形態を示している。
容易に分かるように、図１〜図３の実施形態のファスナーのタイプは容易に組み合わせることができる。
【００１０】
この発明は多数のファスナーの保持器を提供する場合に有効である。この発明は多数のファスナーを必要とする組立品において迅速な固定又は固定解除に役立つ。
【図面の簡単な説明】
【００１１】
【図１】この発明の第１実施形態の斜視図である。
【図２】この発明の第２実施形態の斜視図である。
【図３】この発明の第３実施形態の斜視図である。
【符号の説明】
【００１３】
１０，２０，３０  ファスナーシステム
１２  ファスナー
１４  ファスナー
１６，２２，２８，３８  保持器
１８，２４，２６，３２，３４，３６，４４，４６  面
【手続補正３】
【補正対象書類名】図面
【補正対象項目名】全図
【補正方法】変更
【補正の内容】
【図１】
2007529690.tif 000007
【図２】
2007529690.tif 000008
【図３】
2007529690.tif 000009
【国際調査報告】
2007529690.tif 000010
2007529690.tif 000011
2007529690.tif 000012